(57)【要約】      （修正有）【課題】安全性及び耐久性を高め、挟み焼き、両面焼きが可能なホットプレートを提供する。【解決手段】第１のケース本体１０、着脱自在に設けられる第１のプレート、及び第１のケース本体と第１のプレートとの間に設けられる第１の加熱手段を有する第１の加熱調理器Ｈ１と、第２のケース本体１０’、第２のプレート、及び第２のケース本体と第２のプレートとの間に設けられる第２の加熱手段を有する第２の加熱調理器Ｈ２と、を有し、前記第１の加熱調理器と前記第２の加熱調理器は軸５２を介して折りたたみ可能であり、前記第１のケース本体の上方には、前記第１のプレートより高さの高い第１のガード部材２５を有し、前記第２のケース本体の上方には、前記第２のプレートより高さの高い第２のガード部材３０を有し、前記第１の加熱調理器と前記第２の加熱調理器とを折りたたんだ際、前記第１のガード部材と前記第２のガード部材は当接する構成とした。【選択図】図４
2012223308.tif 000002
【特許請求の範囲】
【請求項１】
第１のケース本体、前記第１のケース本体の上方に着脱自在に設けられる第１のプレート、及び前記第１のケース本体と前記第１のプレートとの間に設けられる第１の加熱手段を有する第１の加熱調理器と、
第２のケース本体、前記第２のケース本体の上方に着脱自在に設けられる第２のプレート、及び前記第２のケース本体と前記第２のプレートとの間に設けられる第２の加熱手段を有する第２の加熱調理器と、を有し、
前記第１の加熱調理器と前記第２の加熱調理器は軸を介して折りたたみ可能であり、
前記第１のケース本体の上方には、前記第１のプレートより高さの高い第１のガード部材を有し、
前記第２のケース本体の上方には、前記第２のプレートより高さの高い第２のガード部材を有し、
前記第１の加熱調理器と前記第２の加熱調理器とを折りたたんだ際、前記第１のガード部材と前記第２のガード部材は当接することを特徴とする電気加熱調理器。
【請求項２】
前記第１のガード部材は、前記第１のケース本体と前記第１のプレートを固定し、前記第２のガード部材は、前記第２のケース本体と前記第２のプレートを固定することを特徴とする請求項１記載の電気加熱調理器。
【請求項３】
第１のケース本体、前記第１のケース本体の上方に着脱自在に設けられる第１のプレート、及び前記第１のケース本体と前記第１のプレートとの間に設けられる第１の加熱手段を有する第１の加熱調理器と、
第２のケース本体、前記第２のケース本体の上方に着脱自在に設けられる第２のプレート、及び前記第２のケース本体と前記第２のプレートとの間に設けられる第２の加熱手段を有する第２の加熱調理器と、を有し、
前記第１の加熱調理器と前記第２の加熱調理器は軸を介して折りたたみ可能であり、
前記第１の加熱調理器と前記第２の加熱調理器とを折りたたんだ状態から開いた状態にする際、前記第２の加熱調理器は、前記第１の加熱調理器に対し所定位置まで対向した状態で移動し、その後回動することを特徴とする電気加熱調理器。
【請求項４】
前記第１の加熱調理器と前記第２の加熱調理器とは、対向した状態での調理物の挟み焼き焼きと、開いた状態での調理物の片面焼きが可能なことを特徴とする請求項３記載の電気加熱調理器。
【発明の詳細な説明】
【技術分野】
【０００１】
電気加熱調理器の一例としてホットプレートがある。ホットプレートは、外郭を構成し底部に脚を有するケース本体と、ケース本体の内側に収納され、ヒーターからの熱がケース本体に伝わるのを遮断するためのほぼ皿形状の遮熱板と、その遮熱板の内側に配置されるヒーターと、そのヒーターの上方にセットされる調理物を調理するためのプレートと、ヒーターへの通電を操作するプラグ受け等を有する操作部を有し、プレート上の肉等の調理物を加熱調理するものである。
【０００２】
ところで、ホットプレートは、プレート上でより多くの調理物を調理できるように作られており、調理時にはテーブル等の上に置いて十分な調理をすることができる反面、不使用時には、収納場所が必要になり、例えば、食器戸棚の中、或いはその上、或いはその他の限られた場所に置いておこうとしても適当な広さの場所がない場合には収納しがたいという問題があった。
【０００３】
そのような問題を解決するために、図１４及び図１５に示すような折りたたみ式のホットプレートが提案されている。図によりその概略を説明する。図１４にホットプレートを開いた調理時の状態を示し、図１５に閉じた収納状態を示す。
【０００４】
折りたたみ式のホットプレートは、外郭を構成する第１のケース本体１、その第１のケース本体１内に収納される図示しない第１の遮熱板、その第１の遮熱板内に配置される図示しない第１のヒーター、及びその第１のヒーターの上方にセットされ調理物を調理するための第１のプレート２を有する第１のホットプレートＨと、外郭を構成する第２のケース本体１’、その第２のケース本体１’内に収納される図示しない第２の遮熱板、その第２の遮熱板内に配置される図示しない第２のヒーター、及びその第２のヒーターの上方にセットされ調理物を調理するための第２のプレート２’を有する第２のホットプレートＨ’と、を有してなる。
【０００５】
そして、第１のケース本体１と第２のケース本体１’の長辺部中央にはそれぞれ取手３、３’が設けられるとともに、第１のケース本体１と第２のケース本体１’の取手３、３’がない側の長辺部のいずれか一方には略コ字状の軸受部材４が設けられている。
【０００６】
そして軸受部材４には、水平な第１の長溝５と第２の長溝５’とが間をおいて直線状に設けられ、第１の長溝５には第１のケース本体１に設けられる軸６が嵌入し、第２の長溝５’には第２のケース本体１’に設けられる軸６’が嵌入している。
【０００７】
そのため、ホットプレートを開くと、第１の長溝５の軸６は図１４で右方に移動し、第２の長溝５’の軸６’は左方に移動する。その結果、開いた調理時の状態では軸６及び軸６’は中央寄りに位置する。
【０００８】
そして、ホットプレートを閉じると、第１の長溝５の軸６は図１４で左方に移動し、第２の長溝５’の軸６’は右方に移動する。その結果、図１５で示すように閉じた収納時の状態では軸６及び軸６’はお互い離れた外側に位置する（例えば、特許文献１参照）。
【０００９】
ところで、従来の折りたたみ式のホットプレートは、折りたたむ際、第１のケース本体１と第１のプレート２とを何らかの取付手段で固定し、第２のケース本体１’と第２のプレート２’とを何らかの取付手段で固定する必要がある。
【００１０】
また、従来の折りたたみ式のホットプレートは、第１のプレート２の４辺が第１のケース本体１より上方に若干飛び出るような形態で取り付けられ、第２のプレート２’の４辺が第２のケース本体１’より上方に若干飛び出るような形態で取り付けられており、開いた状態での調理時に、第１のプレート２或いは第２のプレート２’の４辺のいずれかに手や指が触れ火傷する恐れを有している。
【００１１】
更に、このホットプレートを閉じると、第１のプレート２と第２のプレート２’の４辺の上面が当たり、ホットプレートを強く閉じた場合、大きな音がしたり、或いは第１のプレート２及び第２のプレート２’が破損等する恐れも有している。
【００１２】
更に、従来の折りたたみ式のホットプレートは、その回動機構は、回転のみであるため、第１のプレート２と第２のプレート２’とで調理物を挟んで調理する挟み焼き、或いは調理物を両面から調理する両面焼き（調理物の上面と上方のプレートとの間に隙間を有しての調理）はできず、利便性としては十分とは言えないものであった。
【先行技術文献】
【特許文献】
【００１３】
【特許文献１】特開平１０−１５５６６３号公報
【発明の概要】
【発明が解決しようとする課題】
【００１４】
本願発明は、ケース本体とプレートとを取付機能及び断熱機能を有するガード部材により取り付けることにより、安全性及び耐久性を高めてなるホットプレートを提供することを目的にするものである。
【００１５】
また、本願発明は、第１のホットプレートと第２のホットプレートとを平行移動及び回移動可能にすることにより、調理物を挟んで調理する挟み焼き、或いは調理物を両面から調理する両面焼き（調理物の上面と上方のプレートとの間に隙間を有しての調理）を可能にしてなるホットプレートを提供することを目的にするものである。
【課題を解決するための手段】
【００１６】
上記目的を達成するため、本願発明は以下の構成を採用する。
【００１７】
請求項１に係る発明では、第１のケース本体、前記第１のケース本体の上方に着脱自在に設けられる第１のプレート、及び前記第１のケース本体と前記第１のプレートとの間に設けられる第１の加熱手段を有する第１の加熱調理器と、第２のケース本体、前記第２のケース本体の上方に着脱自在に設けられる第２のプレート、及び前記第２のケース本体と前記第２のプレートとの間に設けられる第２の加熱手段を有する第２の加熱調理器と、を有し、前記第１の加熱調理器と前記第２の加熱調理器は軸を介して折りたたみ可能であり、前記第１のケース本体の上方には、前記第１のプレートより高さの高い第１のガード部材を有し、前記第２のケース本体の上方には、前記第２のプレートより高さの高い第２のガード部材を有し、前記第１の加熱調理器と前記第２の加熱調理器とを折りたたんだ際、前記第１のガード部材と前記第２のガード部材は当接する構成。
【００１８】
請求項２に係る発明では、請求項１の構成に加え、前記第１のガード部材は、前記第１のケース本体と前記第１のプレートを固定し、前記第２のガード部材は、前記第２のケース本体と前記第２のプレートを固定する構成。
【００１９】
請求項３に係る発明では、第１のケース本体、前記第１のケース本体の上方に着脱自在に設けられる第１のプレート、及び前記第１のケース本体と前記第１のプレートとの間に設けられる第１の加熱手段を有する第１の加熱調理器と、第２のケース本体、前記第２のケース本体の上方に着脱自在に設けられる第２のプレート、及び前記第２のケース本体と前記第２のプレートとの間に設けられる第２の加熱手段を有する第２の加熱調理器と、を有し、前記第１の加熱調理器と前記第２の加熱調理器は軸を介して折りたたみ可能であり、前記第１の加熱調理器と前記第２の加熱調理器とを折りたたんだ状態から開いた状態にする際、前記第２の加熱調理器は、前記第１の加熱調理器に対し所定位置まで対向した状態で移動し、その後回動する構成。
【００２０】
請求項４に係る発明では、請求項３の構成に加え、前記第１の加熱調理器と前記第２の加熱調理器とは、対向した状態での調理物の挟み焼き焼きと、開いた状態での調理物の片面焼きが可能な構成。
【発明の効果】
【００２１】
請求項１に係る発明では、第１の加熱調理器（例えば、下ホットプレート）と第２の加熱調理器（例えば、上ホットプレート）は軸を介して折りたたみ可能であり、第１のケース本体（例えば、下ホットプレート用）の上方には、第１のプレート（例えば、下ホットプレート用）より高さの高い第１のガード部材（例えば、下ホットプレート用）を有し、第２のケース本体（例えば、上ホットプレート用）の上方には、第２のプレート（例えば、上ホットプレート用）より高さの高い第２のガード部材（例えば、上ホットプレート用）を有し、第１の加熱調理器と第２の加熱調理器とを折りたたんだ際、第１のガード部材と第２のガード部材は当接することにより、調理時に、第１のプレート或いは第２のプレートの４辺のいずれかに手や指が触れて火傷する恐れをなくすことができる。
【００２２】
また、ホットプレートを閉じる際、第１のガード部材と第２のガード部材が当たるため、大きな音の発生や、第１のプレート及び第２のプレートの破損等を防止することができる。その結果、ホットプレートの信頼性をより高めることができる。
【００２３】
請求項２に係る発明では、第１のガード部材は、第１のケース本体と第１のプレートを固定し、第２のガード部材は、第２のケース本体と第２のプレートを固定することにより、第１のガード部材及び第２のガード部材をケース本体とプレートの固定手段として用いることができ、部品点数を低減することができる。
【００２４】
請求項３に係る発明では、第１の加熱調理器（例えば、下ホットプレート）と第２の加熱調理器（例えば、上ホットプレート）は軸を介して折りたたみ可能であり、第１の加熱調理器と第２の加熱調理器とを折りたたんだ状態から開いた状態にする際、第２の加熱調理器は、第１の加熱調理器に対し所定位置まで対向した状態で移動し、その後回動することにより、第１のプレートと第２のプレートとで調理物を挟んだ挟み焼き、或いは調理物を両面から調理する両面焼きをすることができる。その結果、調理メニューが増えホットプレートの利便性をより高めることができる。
【００２５】
請求項４に係る発明では、第１の加熱調理器と第２の加熱調理器とは、対向した状態での調理物の挟み焼き焼きと、開いた状態での調理物の片面焼きが可能なことにより、請求項３に係る発明と同様な効果を奏することができる。
【図面の簡単な説明】
【００２６】
【図１】本願発明の上下ホットプレートを開いた状態の全体斜視図
【図２】本願発明の上下ホットプレートを閉じた状態の全体斜視図
【図３】本願発明の上下ホットプレートのハンドル０度時の状態の全体側面図
【図４】本願発明の上下ホットプレートのハンドル４５度時の状態の全体側面図
【図５】本願発明の上下ホットプレートのハンドル１２０度時の状態の全体側面図
【図６】本願発明の軸受部材の側面図
【図７】本願発明の上ホットプレート用ガード部材の全体斜視図
【図８】本願発明の下ホットプレート用ガード部材の全体斜視図
【図９】本願発明のハンドルの全体斜視図
【図１０】本願発明の上下ホットプレートを開いた状態の軸受部材を裏側から見た一部拡大図
【図１１】本願発明のハンドルボスと軸受部材ボスとの係合状態を示す概略図
【図１２】本願発明の上下ホットプレートを立て、ロックレバーでロックした状態を示す側面図
【図１３】本願発明の上下ホットプレート間に枠プレートを介在した状態を中央で切断した斜視図
【図１４】従来のホットプレートの開いた状態を示す斜視図
【図１５】従来のホットプレートの閉じた状態を示す斜視図
【実施例】
【００２７】
以下、添付の図面を参照して、本願発明の実施の形態について詳述する。
【００２８】
図１に本願発明の上下ホットプレートを開いた状態の全体斜視図を示し、図２に上下ホットプレートを閉じた状態の全体斜視図を示し、図３乃至図５にハンドルが０度、４５度、１２０度時の状態の全体側面図を示し、図６乃至図９に軸受部材、ガード部材、ハンドルをそれぞれ示す。
【００２９】
図１に示すように電気加熱調理器の一例であるホットプレートＨは、折りたたみ式であり、下ホットプレートＨ１と上ホットプレートＨ２よりなる。下ホットプレートＨ１及び上ホットプレートＨ２はほぼ同様な形状及び大きさの部材を有するほぼ同様な形状及び大きさのものであり、下ホットプレートＨ１は、請求項の第１の加熱調理器に相当し、上ホットプレートＨ２は、請求項の第２の加熱調理器に相当する。なお、第１と第２の対応関係は逆であってもよい。
【００３０】
下ホットプレートＨ１は、外郭を構成する下ケース本体１０と、下遮熱板１５と、その下遮熱板１５の上方に載置される下プレート２０と、下遮熱板１５の内側に配置される加熱手段としての下ヒーター１６と、操作部１２を有する（図１３参照）。
【００３１】
なお、下ケース本体１０は請求項の第１のケース本体に相当し、下プレート２０は請求項の第１のプレートに相当し、下ヒーター１６は請求項の第１の加熱手段に相当する。しかし第１と第２の対応関係は逆であってもよい。
【００３２】
また、下ケース本体１０及び下プレート２０の４辺の内、操作部１２が設けられる側の辺を操作部側辺ａといい、それに対向する側の平行な辺を操作部対向辺ｂといい、操作部側辺ａ及び操作部対向辺ｂに直交する２つの辺を操作部直交辺ｃ、ｃという（図１参照）。そして、下ケース本体１０の操作部側辺ａの外側面には、図１のＢ部拡大図で示すような１つの係止片２３が形成され、操作部直交辺ｃ、ｃの外側面にはそれぞれ１つずつの同様な係止片２３が形成されており、後記の下ホットプレート用ガード部材２５の係止突起２７ｂが係合される。
【００３３】
なお、後記の下ホットプレート用ガード部材２５についても同様であり、３辺の内、操作部１２が設けられる側の辺を操作部側辺ａといい、操作部側辺ａに直交する２つの辺をそれぞれ操作部直交辺ｃ、ｃという（図８参照）。
【００３４】
上ホットプレートＨ２は、外郭を構成する上ケース本体１０’と、上遮熱板１５’と、その上遮熱板１５’の上方に載置される上プレート２０’と、上遮熱板１５’の内側に配置される加熱手段としての上ヒーター１６’と、ハンドル５０を有する（図１３参照）。
【００３５】
なお、上ケース本体１０’は請求項の第２のケース本体に相当し、上プレート２０’は請求項の第２のプレートに相当し、上ヒーター１６’は請求項の第２の加熱手段に相当する。しかし、第１と第２の対応関係は逆であってもよい。
【００３６】
また、上ケース本体１０’及び上プレート２０ ’の４辺の内、操作部１２が設けられる側の辺を操作部側辺ａ’といい、それに対向する側の平行な辺を操作部対向辺ｂ’といい、操作部側辺ａ’及び操作部対向辺ｂ’に直交する２つの辺をそれぞれ操作部直交辺ｃ’、ｃ’という（図１参照）。そして、上ケース本体１０’の操作部対向辺ｂ’の外側面には、図１のＢ部拡大図で示すのと同様な２つの係止片２３が形成され、操作部直交辺ｃ’、ｃ’の外側面にはそれぞれ１つずつの同様な係止片２３が形成されており、後記の上ホットプレート用ガード部材３０の４つの係止突起３２ｂのそれぞれが係合される。
【００３７】
なお、後記の上ホットプレート用ガード部材３０についても同様であり、３辺の内、操作部１２が設けられる側に対向する辺を操作部対向辺ｂ’といい、操作部対向辺ｂ’に直交する２つの辺をそれぞれ操作部直交辺ｃ’、ｃ’という（図７参照）。
【００３８】
下ケース本体１０及び上ケース本体１０’は、それぞれ樹脂成形品であり、それぞれ下ホットプレートＨ１及び上ホットプレートＨ２の外郭を構成し、平面視略矩形状でその全体はほぼ皿状からなり、その底部にはそれぞれ４本の脚１１を各角部近傍に有する。
【００３９】
下ケース本体１０の操作部側辺ａの外側には、側面にプラグ受け１３を有する操作部１２が設けられている。そして、下ケース本体１０の操作部対向辺ｂと操作部直交辺ｃとの交差部近傍の底部には、図２に示すように後記の軸受部材４０が取り付けられる。
【００４０】
下ケース本体１０及び上ケース本体１０’には、それぞれほぼ同形状の下遮熱板１５及び上遮熱板１５’が収納され（図１３参照）、下方への熱を遮蔽する。これら下遮熱板１５及び上遮熱板１５’は、それぞれ金属性の薄板をプレス加工により一体形成するものであり、平面視略矩形状でその全体はほぼ皿状からなり、その底部の４個の断熱性の脚で下ケース本体１０及び上ケース本体１０’内の所定箇所に載置されるか、或いは下ケース本体１０及び上ケース本体１０’の上端面に載置される。
【００４１】
また、下遮熱板１５及び上遮熱板１５’内には、それぞれほぼ同形状の下ヒーター１６及び上ヒーター１６’が取り付けられており（図１３参照）、下プレート２０を下方より上プレート２０ ’を下方または上方より加熱する。
【００４２】
前記下プレート２０及び上プレート２０ ’は、厚いアルミダイカスト製の部材であり、それぞれの下ケース本体１０及び上ケース本体１０’と同様の平面視略矩形状でその全体は底の浅い皿状からなり、それぞれ下ケース本体１０及び上ケース本体１０’に載置する形態で設けられる。
【００４３】
下プレート２０の２つの操作部直交辺ｃ、ｃの略中央には、外方に突き出た平面視矩形状の下プレート突出体２１が一体に形成される。この下プレート突出体２１は、後記の下ホットプレート用ガード部材２５を下ケース本体１０に係合すると、図１のＡ部拡大図で示すように下ホットプレート用ガード部材２５により上方から押圧される部材であり、下ホットプレート用ガード部材２５により上方から押圧されることにより、下ケース本体１０と下プレート２０とが一体的に挟持される。
【００４４】
また、上プレート２０ ’の２つの操作部直交辺ｃ’、ｃ’の角部からそれぞれ略１／３の箇所には、外方に突き出たほぼ同じ形状及び大きさの平面視矩形状の上プレート突出体２２が一体に形成される。これら２つの上プレート突出体２２、２２は、後記の上ホットプレート用ガード部材３０を上ケース本体１０’に係合すると、上ホットプレート用ガード部材３０により上方から押圧される部材であり、上ホットプレート用ガード部材３０により上方から押圧されることにより、上ケース本体１０’と上プレート２０ ’とが一体的に挟持される。
【００４５】
なお、上プレート突出体２２を２つにする理由は、上下動する部材は主として上ケース本体１０’及び上プレート２０ ’であり、これら上ケース本体１０’及び上プレート２０ ’が上下動する際、上ケース本体１０’及び上プレート２０ ’との結合をより強固にして外れないようにするためと、下プレート２０及び上プレート２０ ’の取付箇所を明確に区別するためである。
【００４６】
前記下ヒーター１６及び上ヒーター１６’は、平面視略ハート状或いはＹ字状からなるシーズヒーターであり、金属パイプの中にコイル状の電熱線を通し、パイプと電熱線間の接触を防ぐためマグネシアなどの耐熱性の無機質絶縁粉末を詰め、金属パイプの両端を密封した構造からなるもので通常インコロイヒーターとも呼ばれるものである。
【００４７】
そして、下ヒーター１６及び上ヒーター１６’は図示しない電線で電気的に接続されており、同時に通電される。なお、上ヒーター１６’は調理時に通電しないようにして下ヒーター１６だけで調理するようにしてもよい。
【００４８】
前記下ホットプレート用ガード部材２５は、図８に示すように芯部材２６及び樹脂部材２７からなる。芯部材２６は、平面視コ字状の金属製の部材であり、その両端は上方に折れ曲がっており、側面視Ｌ字状端部２６ａ、２６ａを形成し、上方に折れ曲がった部分にはそれぞれビス穴２６ｂ、２６ｂを有している。なお、樹脂部材２７内に芯部材２６を入れることにより下ホットプレート用ガード部材２５の強度が高まる。
【００４９】
また、樹脂部材２７は、Ｌ字状端部２６ａ、２６ａを除いた芯部材２６にインサート成形により芯部材２６上に一体に形成される平面視コ字状の樹脂製の部材であり、その２つの操作部直交辺ｃ、ｃのほぼ中央には、それぞれ嵌合溝２７ａ、２７ａが対向して設けられる。
【００５０】
これら嵌合溝２７ａ、２７ａには、下プレート２０の下プレート突出体２１、２１のそれぞれが嵌合され、下ホットプレート用ガード部材２５の取付時、嵌合溝２７ａの上端部で下プレート突出体２１を下方に押圧して、下ケース本体１０と下プレート２０とを一体的に挟持する。
【００５１】
また、樹脂部材２７の操作部側辺ａの内側下端部の中央部には、操作部側辺ａ方向に細長く平面視矩形状の係止突起２７ｂが形成される。この係止突起２７ｂは、下ケース本体１０の操作部側辺ａの外側面に形成される係止片２３に係合される（図１参照）。即ち、下ホットプレート用ガード部材２５を組付後、樹脂部材２７の係止突起２７ｂを下ケース本体１０の係止片２３に係合することにより、嵌合溝２７ａ、２７ａの上端が下プレート突出体２１、２１を下方に押圧し、下ケース本体１０と下プレート２０とを一体的に挟持することになる。
【００５２】
そして、下ホットプレート用ガード部材２５を取り付けると、下ホットプレート用ガード部材２５の上端部は、下ケース本体１０及び下プレート２０より高い上方位置を占める。そのため、下プレート２０の上面に手が触れて火傷する弊害を低減することができる。
【００５３】
前記上ホットプレート用ガード部材３０は、図７に示すように芯部材３１及び樹脂部材３２からなる。芯部材３１は、平面視コ字状の金属製の部材であり、その両端にはスライド溝３１ａ、３１ａが形成される。このスライド溝３１ａ、３１ａは、細長い矩形状の２つの短辺をそれぞれ外方に半円弧状にしたトラック形状を呈し、後記スライド軸６１が摺動する。なお、樹脂部材３２内に芯部材３１を入れることにより上ホットプレート用ガード部材３０の強度が高まる。
【００５４】
樹脂部材３２は、スライド溝３１ａ、３１ａを除いた芯部材３１にインサート成形により芯部材３１上に一体に形成される平面視コ字状の樹脂製の部材であり、その２つの操作部直交辺ｃ’、ｃ’のそれぞれには、２つずつの嵌合溝３２ａ、３２ａ、３２ａ、３２ａが対向して設けられる。これら４個の嵌合溝３２ａには、上プレート２０ ’の操作部直交辺ｃ’、ｃ’のそれぞれに２つずつ設けられる４個の上プレート突出体２２が嵌合され、上ホットプレート用ガード部材３０の取付時、嵌合溝３２ａの上端部で上プレート突出体２２を下方に押圧して、上ケース本体１０’と上プレート２０ ’とを一体的に挟持する。
【００５５】
また、樹脂部材３２の操作部対向辺ｂ’の内側下端部には、操作部対向辺ｂ’方向に細長く平面視矩形状の２つの係止突起３２ｂ、３２ｂが形成され、更に、操作部直交辺ｃ’、ｃ’のそれぞれの内側下端部の中央部には、操作部直交辺ｃ’、ｃ’方向に細長く平面視矩形状の１つの係止突起３２ｂが形成される。これら４つの係止突起３２ｂは、上ケース本体１０’の操作部対向辺ｂ’に形成される２つの係止片２３と、操作部直交辺ｃ’、ｃ’のそれぞれの外側面に形成される１ずつの係止片２３に係合される。即ち、樹脂部材３２の４つの係止突起３２ｂを上ケース本体１０’の４つの係止片２３に係合することにより、それぞれ嵌合溝３２ａの上端が４つの上プレート突出体２２を下方に押圧し、上ケース本体１０’と上プレート２０ ’とを一体的に挟持することになる。
【００５６】
そして、上ホットプレート用ガード部材３０を取り付けると、上ホットプレート用ガード部材３０の上端部は、上ケース本体１０’と上プレート２０ ’より高い上方位置を占める。そのため、上プレート２０ ’の上面に手が触れて火傷する弊害を低減することができる。
【００５７】
また、下ホットプレート用ガード部材２５と上ホットプレート用ガード部材３０とを所定箇所に取り付けた後、下ホットプレートＨ１及び上ホットプレートＨ２を閉じると、下ホットプレート用ガード部材２５と上ホットプレート用ガード部材３０とが図３で示すように当接するため、閉じる際に大きな音が発生したり、或いは下プレート２０と上プレート２０’が直接当たって当たった箇所が傷ついたり破損したりすることがなくなる。
【００５８】
軸受部材４０を図６に示す。軸受部材４０は、円形部４１、支柱部４２及び底板部４３を有する金属性の一体成形部材である。
【００５９】
円形部４１は、ハンドル５０等を軸支するための厚みを有する円形の部材であり、その外側面４１ａには、長溝４４及び半円弧状凹部４５を有する。長溝４４は、矩形状の２つの短辺をそれぞれ外方に半円弧状にしたトラック形状を呈し、外側面４１ａから内側面４１ｂにかけて貫通する溝であり、その全体は、水平面に対して１２０度傾斜する形態で形成されており、後記のハンドル５０の小径軸５２が嵌入される。
【００６０】
半円弧状凹部４５は、長溝４４の下方に略半円弧状に形成される同じ深さの凹みであり、その外周に大形円弧面４５ａと、段部４５ｂと小形円弧面４５ｃを有しており、後記のハンドルボス５３がハンドル５０の回動に合わせてそれぞれの面に沿って移動する。
【００６１】
大形円弧面４５ａは、円形部４１の外周に沿った形状を有し、長溝４４の長軸を基準とした場合、略０度から１８０度に亘って形成される。
【００６２】
段部４５ｂは長溝４４のほぼ長軸上に長軸と同じ角度で傾斜する直線状の部分で、後記のハンドルボスが５３衝突する。また、小形円弧面４５ｃは、段部４５ｂの後方側に形成される長さの短い円弧状の部分であり、後記のハンドルボスが段部４５ｂを乗り越えた後に移動する部分である。
【００６３】
円形部４１の外側面４１ａと反対側の内側面４１ｂには、図６で破線で示すようにビス取付口４６が穿設される。このビス取付口４６は、円形部４１の長溝４４の上方に設けられる。このビス取付口４６には、図１０に示すように後記のスライドレバー６０のビス孔６２及び下ホットプレート用ガード部材２５のＬ字状端部２６ａのビス穴２６ｂを固定するためのビス４６ａが螺合される。
【００６４】
前記支柱部４２は、円形部４１に加わる荷重を支持する縦長で矩形状の部材である。なお、図１２に示すように、この支柱部４２に平板部４２ａを一体に設け、この平板部４２ａにロックレバー４２ｂを設けてもよい。このロックレバー４２ｂは、ハンドル５０に設けられる係止片５４に係合されることになる。このような構造にすることにより、ホットプレートＨを閉じて持ち運びする場合等、ホットプレートＨが開くことがないため、持ち運び等が容易になる。
【００６５】
前記底板部４３は、支柱部４２の下方に水平に設けられる板状の部材であり、その略中央には円形開口４３ａが設けられる。この円形開口４３ａは、底板部４３が下ケース本体１０の底部に複数のビス４３ｂで取り付けられる際、下ケース本体１０の脚１１を嵌合するものである（図２参照）。このような形態での取付けにすることにより、底板部４３を下ケース本体１０の角部近傍の底部への取付けが容易になる。
【００６６】
また、この底板部４３は、脚の機能をも有しており、図１２に示すように閉じたホットプレートＨを立てた状態で床等に置くと、ハンドル５０の下端部とともに床に当接してホットプレートＨを支持する。
【００６７】
前記ハンドル５０を図９に示す。ハンドル５０は、樹脂製の把持部５０ａ及び２つの金属製の側板部５０ｂからなる全体で門形状の部材であり、３部分は別体で、図示しないビスにより一体化されている。
【００６８】
側板部５０ｂは同じ形状で、それぞれの内面には、その中央に筒状の大径軸５１が設けられ、その下端部に小径軸５２と、平面視略三角形状のハンドルボス５３と、上記ロックレバー４２ｂが係合する係止片５４が設けられる。なお、この係止片５４は、２つの側板部５０ｂの一方或いは両方に設けてもよく、また、ロックレバー４２ｂがない場合は設けなくてもよい。
【００６９】
大径軸５１は、ハンドル５０の中央で内側に突出して設けられる大径の軸であり、その中心にはビス孔５１ａが穿設される。そして、この大径軸５１は、上ケース本体１０’の操作部直交辺ｃ’、ｃ’の中央にそれぞれ設けられる円形の軸受口１４（図１参照）に外側から嵌合され、内側において図示しないワッシャ及びビスにより固定される。その結果、ハンドル５０の中央部は上ケース本体１０’に対して回動自在の状態で固定される。
【００７０】
小径軸５２は、ハンドル５０の下端部で内側に突出して設けられる小径の軸であり、その中心にはビス孔５２ａが穿設される。そして、この小径軸５２は、軸受部材４０の円形部４１に形成される長溝４４に外側から嵌入され、内側においてワッシャ５２ｂを介してビス５２ｃにより固定される（図１０参照）。その結果、ハンドル５０の下端部は軸受部材４０に対して回動自在の状態で固定される。即ち、ハンドル５０は、上ケース本体１０’と軸受部材４０とで２点支持されることになる。
【００７１】
ハンドルボス５３は、小径軸５２の下方に設けられ、その下方の辺が円弧状で他の２辺が直線状の全体として略直角三角形状のボスであり、ハンドル５０の回動に応じて移動する。
【００７２】
ハンドル５０の取付時、ハンドル５０の下端部を外方から円形部４１の外側面４１ａに被せると、小径軸５２は長溝４４内に嵌入し、ハンドルボス５３は、円形部４１の半円弧状凹部４５内に嵌入する。
【００７３】
ハンドルボス５３がハンドル５０の回動に応じて移動する状態を図１１により説明する。下ホットプレートＨ１及び上ホットプレートＨ２を閉じたハンドル５０が０度の状態を図１１（Ａ）に示す。この状態では、小径軸５２は長溝４４の下方端に位置し、ハンドルボス５３は半円弧状凹部４５の大形円弧面４５ａの斜め上方に位置する。
【００７４】
次いで、ハンドル５０を９０度回動した状態を図１１（Ｂ）に示す。この状態では、小径軸５２は長溝４４の下方端に位置し、ハンドルボス５３は図で時計方向に回動し、半円弧状凹部４５の大形円弧面４５ａの下方に位置する。
【００７５】
次いで、ハンドル５０を１２０度回動した状態を図１１（Ｃ）に示す。この状態では、小径軸５２は長溝４４の下方端に位置し、ハンドルボス５３は半円弧状凹部４５の段部４５ｂに衝突する。この状態になると、上ホットプレートＨ２は下ホットプレートＨ１に対してそれ以上の回動が阻止されてその位置に留まる。
【００７６】
そのため、後記の挟み焼きをする前の調理物の準備、或いは挟み焼き後の調理物の取り出し等が容易になる。なお、この角度は１２０度に限らず、鈍角であればどのような角度で設定してもよい。
【００７７】
その回動不能な状態を解除した状態を図１１（Ｄ）に示す。図は、ハンドル５０を矢印で示すように長溝４４の長軸方向に引き上げた状態である。このようにハンドル５０を長溝４４の長軸方向に引き上げると、小径軸５２は長溝４４の上方端に位置し、ハンドルボス５３は段部４５ｂの上方に位置することになり、以後の回動が可能になる。
【００７８】
次いで、ハンドル５０を１８０度回動した状態を図１１（Ｅ）に示す。この状態では、小径軸５２は長溝４４の下方端に位置し、ハンドルボス５３は半円弧状凹部４５の小形円弧面４５ｃの上方に位置する。
【００７９】
このようにしてホットプレートＨを開くことになり、開いた状態での下ホットプレートＨ１上及び上ホットプレートＨ２上での同時調理が可能になる。ホットプレートＨを閉じる場合、ハンドルボス５３は半円弧状凹部４５内で逆の動きをすることになる。
【００８０】
スライドレバー６０を図１０に示す。スライドレバー６０は、上ホットプレートＨ２の平行移動及び回動を可能にするほぼ直線状で平板状のレバーであり、その一方端には小径のスライド軸６１が取り付けられ、その他方にはビス孔６２が穿設される。
【００８１】
スライド軸６１は、上ホットプレート用ガード部材３０のスライド溝３１ａに内側から嵌入され、外側から図示しないワッシャ及びビスにより取り付けられる。また、ビス孔６２は、円形部４１のビス取付口４６にビス４６ａにより取り付けられる。なお、円形部４１のビス取付口４６には、下ホットプレート用ガード部材２５のＬ字状端部２６ａのビス穴２６ｂもビス４６ａにより一体に取り付けられる。
【００８２】
即ち、スライドレバー６０のビス孔６２部分は、ビス４６ａにより回動自在に取り付けられ、スライド軸６１は、スライド溝３１ａ内に摺動自在に取り付けられる。
【００８３】
ホットプレートＨの開動作について図３乃至図５で説明する。図３に下ホットプレートＨ１を下にして上ホットプレートＨ２を閉じた状態であるハンドル５０の０度時を示す。この状態では、スライドレバー６０のスライド軸６１はスライド溝３１ａの右方端に位置している。
【００８４】
この状態でハンドル５０を上方へ持ち上げる。すると、ハンドル５０の大径軸５１は、軸受部材４０を軸心にして上ホットプレートＨ２を回動しようとするが、軸受部材４０には、スライドレバー６０が取り付けられるとともに、そのスライドレバー６０の回動時に先端のスライド軸６１がスライド溝３１ａ内を左方から右方に向かって移動するため、上ホットプレートＨ２の後端側、即ち、スライド溝３１ａ側は、上ホットプレートＨ２の先端側、即ち、スライド溝３１ａ側とは反対側と同様に上昇することになる。
【００８５】
ホットプレートＨ２の後端側の上昇と先端側との上昇は同じになるように、スライド溝３１ａ及びスライドレバー６０の長さが設定されている。その角度は９０度以下であればよく、この例の場合は４５度近傍に設定している。即ち、この例では４５度まで上ホットプレートＨ２は、下ホットプレートＨ１に対して平行移動する。その後は、上ホットプレートＨ２は、下ホットプレートＨ１に対して回動し、角度１８０度になると図１に示すようになる。
【００８６】
なお、上ホットプレートＨ２を下ホットプレートＨ１に対して平行移動する角度は、例えば９０度まで可能であるが、平行移動の際、図４で矢印に示すように上ホットプレートＨ２は下ホットプレートＨ１に対して斜め上方に平行移動することになり、挟み焼きができる調理可能領域は角度が大きくなるに従って減少するため、４５度近傍を設定している。そしてハンドル５０の４５度の角度における下ホットプレートＨ１と上ホットプレートＨ２との間の距離は、略５ｃｍ程度になる。ハンドル５０を上方へ４５度持ち上げた状態を図４に示す。この状態では、スライドレバー６０のスライド軸６１はスライド溝３１ａの右方端に移動している。
【００８７】
即ち、この例では、２軸２リンク式のリンク機構を用いており、全体の構造を簡略化できるという利点を有している。そして、調理物の大きさに応じた挟み焼きを行うことができる。挟み焼きをする場合、まず、図５に示すようにハンドル５０を上方へ１２０度持ち上げた状態にする。この状態にすると、図１１（Ｃ）で説明したように、ハンドル５０のハンドルボス５３は半円弧状凹部４５の段部４５ｂに衝突し、上ホットプレートＨ２は下ホットプレートＨ１に対してそれ以上の回動が阻止されてその位置に留まる。そのため、下ホットプレートＨ１の下プレート２０上で調理物を並べたりする等の下準備が可能となる。
【００８８】
調理物の下準備が完了したらハンドル５０を引き上げた後、角度が減少する方向に戻す。すると上ホットプレートＨ２は、回動しながら下ホットプレートＨ１に近づき、下ホットプレートＨ１に対して角度が４５度以内になると、上ホットプレートＨ２は、下ホットプレートＨ１に対して平行移動するようになる。
【００８９】
そのまま、ハンドル５０を戻すと、上ホットプレートＨ２の上プレート２０ ’が調理物の上面に当接する。その状態で調理物の加熱を行うと、例えば厚みのある調理物の挟み焼きを行うことができる。この場合、調理物の上方から上ホットプレートＨ２の重量が加わるため、圧力を加えた挟み焼きになり、特にイカ焼き等の調理には有効である。
【００９０】
ところで、上記した構造では、挟み焼き時に上ホットプレートＨ２が自身の重量で下方に下がりその分調理物に力が掛かるため、調理物によっては変形する等の恐れが生じる。そのため、ハンドル５０の大径軸５１と軸受口１４との間に、例えば市販されているフリーストップ機能付きのダンパーを介在させるとよい。このような構造にすることにより、力が掛からない挟み焼き、或いは調理物との間に空間を有する両面焼きが可能になり、利便性がより高まる。また、調理物をセットする時、セットしやすい角度で上ホットプレートＨ２を止めることができる。更には上ホットプレートＨ２が突然閉じ、手や指を挟む恐れもなくなる。
【００９１】
勿論、図５の状態から更に角度１８０度まで回動してホットプレートＨを開き、開いた状態の下ホットプレートＨ１上及び上ホットプレートＨ２上での同時調理、即ち、より広い範囲での片面調理を行うこともできる。
【００９２】
図１３に枠プレート７０を用いた両面焼きの例を示す。枠プレート７０は平面視矩形状或いは円形の筒状部材であり、例えば、高さ５ｃｍのものを用いる。そして、ホットプレートＨが図５の状態の時、下ホットプレートＨ１の下プレート２０上に調理物を置き、その調理物が中にはいるように枠プレート７０を置く。この場合、調理物の高さは枠プレート７０の高さより低いものを用いる。
【００９３】
その後、ホットプレートＨを図４の状態にする。すると、上ホットプレートＨ２は、枠プレート７０の上面に当接して支持される。その状態で加熱すると、調理物の両面焼き、或いは蒸し調理ができる。この場合、調理物の上面と上プレート２０ ’との間には空間があることになる。このように枠プレート７０を用いることにより、上下から力が加わらない魚の同時両面焼き等が可能になり、その分調理メニューが増える。
【００９４】
本願発明は、上記実施例の構成に限定されるものではなく、発明の要旨を逸脱しない範囲において適宜設計変更可能である。
【符号の説明】
【００９５】
Ｈ…ホットプレート            Ｈ１…下ホットプレート
Ｈ２…上ホットプレート        ａ，ａ’…操作部側辺
ｂ，ｂ’…操作部対向辺        ｃ，ｃ’…操作部直交辺
１０…下ケース本体            １０’…上ケース本体
１１…脚                      １２…操作部
１２ａ…蓋                    １２ｂ…ノブ
１４…軸受口                  １５…下遮熱板
１５’…上遮熱板              １６…下ヒーター
１６’…上ヒーター            ２０…下プレート
２０’…上プレート            ２１…下プレート突出体
２２…上プレート突出体        ２３…係止片
２５…下ホットプレート用ガード部材      ２６…芯部材
２６ａ…Ｌ字状端部            ２６ｂ…ビス穴
２７…樹脂部材                ２７ａ…嵌合溝
２７ｂ…係止突起              ３０…上ホットプレート用ガード部材
３１…芯部材                  ３１ａ…スライド溝
３２…樹脂部材                ３２ａ…嵌合溝
３２ｂ…係止突起              ４０…軸受部材
４１…円形部                  ４１ａ…外側面
４１ｂ…内側面                ４２…支柱部
４２ａ…平板部                ４２ｂ…ロックレバー
４３…底板部                  ４３ａ…円形開口
４３ｂ…ビス                  ４４…長溝
４５…半円弧状凹部            ４５ａ…大形円弧面
４５ｂ…段部                  ４５ｃ…小形円弧面
４６ａ…ビス                  ４６…ビス取付口
５０…ハンドル                ５０ａ…把持部
５０ｂ…側板部                ５１…大径軸
５１ａ…ビス孔                ５２…小径軸
５２ａ…ビス孔                ５２ｂ…ワッシャ
５２ｃ…ビス                  ５３…ハンドルボス
５４…係止片                  ６０…スライドレバー
６１…スライド軸              ６２…ビス孔
７０…枠プレート
【図１】
2012223308.tif 000003
【図２】
2012223308.tif 000004
【図３】
2012223308.tif 000005
【図４】
2012223308.tif 000006
【図５】
2012223308.tif 000007
【図６】
2012223308.tif 000008
【図７】
2012223308.tif 000009
【図８】
2012223308.tif 000010
【図９】
2012223308.tif 000011
【図１０】
2012223308.tif 000012
【図１１】
2012223308.tif 000013
【図１２】
2012223308.tif 000014
【図１３】
2012223308.tif 000015
【図１４】
2012223308.tif 000016
【図１５】
2012223308.tif 000017